(57)【要約】【課題】インクタンクをキャリッジに搭載したいわゆるオンキャリッジ方式の記録装置における液体噴射装置において、インク注入時にインクがキャリッジの内部に垂れても液体噴射ヘッドやメンテナンスシステムといった各要素へインクが付着するのを抑制する。【解決手段】液体噴射装置１は、媒体に対しノズルから液体を噴射する液体噴射ヘッドと、液体噴射ヘッドに供給する液体を収容する液体収容部材と、液体噴射ヘッドと液体収容部材とを搭載し、移動経路Ｔ３０上を移動可能なキャリッジ３０と、を備える。液体収容部材は、液体噴射ヘッド１０よりも上方に配置された、液体を注入する為の液体注入口３２を有する。液体注入口３２は、上方からの平面視で、ノズルが形成される領域であるノズル形成面１１Ｒと重ならない位置に設けられている。【選択図】図６
2019069550.tif 000002
【特許請求の範囲】
【請求項１】
媒体に対しノズルから液体を噴射する液体噴射ヘッドと、
前記液体噴射ヘッドに供給する液体を収容する液体収容部材と、
前記液体噴射ヘッドと前記液体収容部材とを搭載し、移動経路上を移動可能なキャリッジと、を備えており、
前記液体収容部材は、前記液体噴射ヘッドよりも上方に配置された、前記液体を注入する為の液体注入口を有し、
前記液体注入口は、上方からの平面視で、前記ノズルが形成される領域であるノズル形成面と重ならない位置に設けられていることを特徴とする液体噴射装置。
【請求項２】
前記ノズル形成面に対向した位置で前記ノズルが開口した閉空間を形成可能なキャップを更に備え、
前記液体注入口は、前記キャリッジが前記移動経路上にある時に、上方からの平面視で前記キャップと重ならない位置に設けられていることを特徴とする請求項１に記載の液体噴射装置。
【請求項３】
前記ノズル形成面を払拭可能な払拭部を更に備え、
前記液体注入口は、前記キャリッジが前記移動経路上にある時に、上方からの平面視で前記払拭部材と重ならない位置に設けられていることを特徴とする請求項１または請求項２に記載の液体噴射装置。
【請求項４】
前記キャリッジは、前記液体収容部材を視認可能とする視認部を有し、
前記液体注入口は、前記キャリッジの移動方向における前記液体収容部材の一端側に設けられることを特徴とする請求項１から請求項３のうち何れか一項に記載の液体噴射装置。
【請求項５】
前記液体注入口を開閉する蓋部材を更に備え、
前記キャリッジは、前記液体収容部材を視認可能とする視認部を有し、
前記蓋部材は、前記視認部から離れる方向に移動することで前記液体注入口を開放することを特徴とする請求項１から請求項４のうち何れか一項に記載の液体噴射装置。
【請求項６】
前記液体注入口を開閉する蓋部材と、
前記液体噴射ヘッドと前記キャップとが対向する位置にあるときに前記蓋部材の開閉動作を規制する規制部と、を更に備えることを特徴とする請求項１から請求項５のうち何れか一項に記載の液体噴射装置。
【請求項７】
前記液体注入口を開閉する蓋部材と、
前記液体注入口が開放された状態における所定の保持位置にて前記蓋部材を保持する保持部と、
をさらに備え、
前記保持位置にある前記蓋部材は、上方からの平面視で前記ノズル形成面と重ならないことを特徴とする請求項１から請求項６のうち何れか一項に記載の液体噴射装置。
【発明の詳細な説明】
【技術分野】
【０００１】
本発明は、液体噴射装置に関する。
【背景技術】
【０００２】
従来、プリンターの液体噴射装置として、インクを連続して供給可能なインクタンクがキャリッジ外に設けられた、いわゆるオフキャリッジ方式のものが利用されている（例えば特許文献１参照）。このような構成では、一般的にはインクタンクがヘッドよりも低い位置に設けられていることから、インク注入口からのインク注入時にインクが垂れたとしてもヘッドが汚れるようなことはない。
【０００３】
それに対し、インクを連続して供給可能なインクタンクをキャリッジに搭載する、いわゆるオンキャリッジ方式の液体噴射装置においては、インクタンクをキャリッジに搭載するという構造上、インク注入口を液体噴射ヘッドやメンテナンスシステムの上方に配置した構成とすることが考えられる。
【先行技術文献】
【特許文献】
【０００４】
【特許文献１】特開２０１５−１９９２６４号公報
【発明の概要】
【発明が解決しようとする課題】
【０００５】
しかし、オンキャリッジ方式の液体噴射装置においてインク注入口を液体噴射ヘッドやメンテナンスシステムの上方に配置した構成とした場合、インク注入時にインクが垂れると、インク注入口の下方にある液体噴射ヘッドやメンテナンスシステムといった各要素へ付着し、印字の不具合といった、各要素の信頼性の低下を招く可能性がある。
【０００６】
そこで、本発明は、インクタンクをキャリッジに搭載したいわゆるオンキャリッジ方式の記録装置における液体噴射装置であって、インク注入時にインクがキャリッジの内部に垂れた場合における液体噴射ヘッドやメンテナンスシステムといった各要素の信頼性の低下を抑制することができる液体噴射装置を提供することを目的とする。
【課題を解決するための手段】
【０００７】
本発明の一態様に係る液体噴射装置は、
媒体に対しノズルから液体を噴射する液体噴射ヘッドと、
液体噴射ヘッドに供給する液体を収容する液体収容部材と、
液体噴射ヘッドと液体収容部材とを搭載し、移動経路上を移動可能なキャリッジと、を備えており、
液体収容部材は、液体噴射ヘッドよりも上方に配置された、液体を注入する為の液体注入口を有し、
液体注入口は、上方からの平面視で、ノズルが形成される領域であるノズル形成面と重ならない位置に設けられている。
【０００８】
この態様によれば、液体の注入時に液体注入口から液体が垂れた場合でもノズル形成面に液体が到達しにくい為、印字の不具合といった信頼性の低下を抑制することができる。
【０００９】
上記態様の液体噴射装置は、ノズル形成面に対向した位置でノズルが開口した閉空間を形成可能なキャップを更に備え、液体注入口は、キャリッジが移動経路上にある時に、上方からの平面視でキャップと重ならない位置に設けられていてもよい。この態様によれば、液体の注入時に液体注入口から液体が垂れた場合でもキャップに液体が到達しにくい為、キャップ汚れに起因する液体噴射ヘッドの汚れを抑制できる。
【００１０】
上記態様の液体噴射装置は、ノズル形成面を払拭可能な払拭部を更に備え、液体注入口は、キャリッジが移動経路上にある時に、上方からの平面視で払拭部材と重ならない位置に設けられていてもよい。この態様によれば、液体の注入時に液体注入口から液体が垂れた場合でも払拭部材に液体が到達しにくい為、払拭部材の汚れに起因する液体噴射ヘッドの汚れを抑制できる。
【００１１】
上記態様の液体噴射装置において、キャリッジは、液体収容部材を視認可能とする視認部を有し、液体注入口は、キャリッジの移動方向における液体収容部材の一端側に設けられていてもよい。この態様によれば、視認部を介して液体収容部材内の液面を見ながら液体を注入できる為、誤って液体注入口から液体を溢れさせることを抑制できる。
【００１２】
上記態様の液体噴射装置は、液体注入口を開閉する蓋部材を更に備え、キャリッジは、液体収容部材を視認可能とする視認部を有し、蓋部材は、視認部から離れる方向に移動することで液体注入口を開放するものであってもよい。この態様によれば、蓋部材が視認部を隠さず、視認部を介して液体収容部材内の液面を見ながら液体を注入でき、誤って液体注入口から液体を溢れさせることを抑制できる。
【００１３】
上記態様の液体噴射装置は、液体注入口を開閉する蓋部材と、液体噴射ヘッドとキャップとが対向する位置にあるときに蓋部材の開閉動作を規制する規制部と、を更に備えていてもよい。この態様によれば、不用意に液体注入口が開放され、これに起因して液体がこぼれることを抑制できる。
【００１４】
上記態様の液体噴射装置は、液体注入口を開閉する蓋部材と、液体注入口が開放された状態における所定の保持位置にて蓋部材を保持する保持部と、をさらに備え、保持位置にある蓋部材は、上方からの平面視でノズル形成面と重ならないものであってもよい。この態様によれば、蓋部材から液体が垂れた場合でもノズル形成面に液体が到達しにくい為、印字の不具合といった信頼性の低下を抑制できる。
【図面の簡単な説明】
【００１５】
【図１】本発明の適用対象の一例であるプリンター（記録装置）を示す斜視図である。
【図２】図１に示す状態からペーパーサポートを開いた状態のプリンターを示す斜視図である。
【図３】図２に示す状態から上部カバーを開いた状態のプリンターを示す斜視図である。
【図４】インクタンクの注入口に補充容器を取り付けた状態のプリンターの一部を示す斜視図である。
【図５】筐体の一部を切り欠いて液体噴射装置およびその周辺の構造例を示す拡大斜視図である。
【図６】プリンターの内部の構成例を示す平面図である。
【図７】キャリッジがホームポジションにある状態のプリンターの平面図である。
【図８】図７におけるキャリッジおよびその周辺を拡大して示す正面図である。
【図９】キャリッジが液体注入可能位置にある状態のプリンターの平面図である。
【図１０】図９におけるキャリッジおよびその周辺を拡大して示す正面図である。
【図１１】視認部に目盛りを設けた液体噴射装置のキャリッジの一例を示す図である。
【図１２】視認部に目盛りを設けた液体噴射装置のキャリッジの他の例を示す図である。
【図１３】視認部に目盛りを設けた液体噴射装置のキャリッジのさらに他の例を示す図である。
【図１４】上面と前面とが交差する交差部に液体注入口を配置したインクタンク（液体収容部材）の一例を示す図である。
【発明を実施するための形態】
【００１６】
添付図面を参照して、本発明の好適な実施形態について説明する。なお、各図において、同一の符号を付したものは、同一又は同様の構成を有する。
【００１７】
≪記録装置の概略構成≫
本発明の適用対象となる記録装置の概略構成例についてまず説明する。以下では、記録装置の一例としてインクジェットプリンタ（以下、単にプリンターと称する）を例に挙げて説明する（図１〜図５参照）。
【００１８】
なお、各図において示すＸ−Ｙ−Ｚ座標系は、Ｘ方向が液体噴射ヘッド１０の移動方向（すなわちキャリッジ３０の移動方向）であるとともに、当該プリンター１００の幅方向である。また、Ｙ方向がプリンター１００の奥行き方向、Ｚ方向がプリンター１００の高さ方向を示している。なお、各図において＋Ｙ方向をプリンター１００の前面側あるいは前方側とし、−Ｙ方向をプリンター１００の背面側あるいは後方側とする。また、プリンター１００の前面側から見て左側を＋Ｘ方向、右側を−Ｘ方向とする。また、＋Ｚ方向をプリンター１００の上方（上部、上面等を含む）とし、−Ｚ方向をプリンター１００の下方（下部、下面等を含む）とする。
【００１９】
プリンター１００は、ノズル１１からインク等の液体（以下、単にインクともいう）を噴射する液体噴射ヘッド１０と、液体噴射ヘッド１０を内部に備える筐体２と、筐体２の背面側に回動軸を備えて開閉するペーパーサポート３と、筐体２の上部を開閉する上部カバー４と、によって、その外観が構成されている。ペーパーサポート３を開くと、筐体２の上部に設けられるセット口５が現れる。セット口５には、媒体、例えばプリント用の用紙が挿入される。ペーパーサポート３は、筐体２の上部において、セット口５を含む領域を開閉するカバーであり、図２に示すように、開いた状態において傾斜姿勢をとり、セット口５にセットされる用紙を支持面３ａで支持するように構成されている。
【００２０】
ペーパーサポート３は、内部に収容可能、かつ内部から引き出し可能に構成される補助ペーパーサポート６を備えている。補助ペーパーサポート６を引き出すことにより、より長い用紙を安定して支持できるようになっている（図２参照）。
【００２１】
セット口５にセットされた用紙は、媒体搬送装置（図示省略）により＋Ｙ方向に送られる。そして、筐体２の内部において液体噴射ヘッド１０による記録が行われ、筐体２の前面に設けられる排出部８から記録後の用紙が排出される。
【００２２】
上部カバー４を開くと、筐体２の内部が露呈する（図３参照）。筐体２の内部には、用紙にインクを吐出して記録を行う液体噴射ヘッド１０を備えるキャリッジ３０が設けられている。キャリッジ３０において、液体噴射ヘッド１０は底部、すなわち−Ｚ方向側に設けられており、図３においては見えていない。キャリッジ３０は、ベルト移動機構（図３において符号１２で示す）などを含む搬送部によって、キャリッジ３０の移動経路Ｔ３０上を媒体搬送方向（＋Ｙ方向）と交差する幅方向（Ｘ方向）に移動可能に構成されている。なお、上部カバー４を開けるとキャリッジ３０の液体注入口３２や下記の蓋部材３３の少なくとも一部が見えるようにするのが好ましい。
【００２３】
また、キャリッジ３０には、液体噴射ヘッド１０に供給するインク（液体）を収容するインクタンク（液体収容部材）２０が設けられている。本実施形態においては、インクタンク２０は一色（黒色）用であるが、複数の色に対応する複数のインクタンクをキャリッジ３０に搭載することもできる。
【００２４】
本実施形態においてインクタンク２０は、インクを補充容器１４（図４参照）から注入可能な液体注入口３２を備えている。液体注入口３２は、液体噴射ヘッド１０よりも上方に配置されていて、通常はキャップ２１（図３、図５参照）により閉じられている。インクタンク２０へのインクの補充は、キャップ２１を外し、キャリッジ３０が液体注入可能位置ＬＦＰに位置した状態で、補充容器１４を液体注入口３２に装着して行うことができる（図４参照）。
【００２５】
また、本実施形態において、筐体２の前面には、プリンター１００における操作入力を受け付ける操作パネル７が設けられている（図１等参照）。操作パネル７は、排出部８の上方に設けられている。排出部８には、引き出し可能に構成された排紙トレイ９が設けられている。
【００２６】
なお、詳しい説明は省くが、本実施形態のプリンター１００は、さらに、内部の液体残量を視認可能な透明度を有する材料で形成されるインクタンク２０の残量確認部１３ａ、インクタンク２０の残量確認部１３ａを視認可能な第１視認部１６、第１視認部１６を介して残量確認部１３ａを視認可能な第２視認部１７を備える（図１等参照）。残量確認部１３ａにおいては、インクタンク２０内のインクの液面Ｌが視認できるようになっている（図５参照）。
【００２７】
また、図２における符号１８ａは装置前側において操作パネル７等が設けられている面、符号１８ｂは面１８ａよりも奥まった位置にある第２視認部１７が配置される面、符号１９は第２視認部１７を面１８ａからオフセットした後方へ位置させる凹部、をそれぞれ示す。さらに、符号２２は、閉状態の上部カバー４によって凹部１９が隠れないように構成された切り欠き部を示す（図３等参照）。
【００２８】
続いて、本発明の好適な実施形態を説明する。以下では、本発明を適用したプリンター１００の液体噴射装置１について、図に示しながら説明する（図６〜図１０参照）。
【００２９】
≪液体噴射装置の構成≫
［第１実施形態］
本実施形態のプリンター１００における液体噴射装置１は、液体噴射ヘッド１０、インクタンク２０、キャリッジ３０等を備えている。また、キャリッジ３０には、液体注入口３２、蓋部材３３が設けられている。さらに、プリンター１００は、規制部２３、キャップ６０、払拭部材８０等を備えていてもよい。
【００３０】
液体注入口３２は、液体噴射ヘッド１０よりも上方に配置されている（図５等参照）。本実施形態の液体注入口３２は、上方から平面視した場合の構成（上方から見た構成のことであり、平面図に表れる構成と同じ）において、ノズル形成面１１Ｒと重ならない位置に配置されている（図６参照）。ノズル形成面１１Ｒとは、例えば本実施形態であれば図６において矩形で表される、ノズル１１が形成される領域のことをいう。別言すれば、本実施形態の液体注入口３２は、当該ノズル形成面１１Ｒの直上とならないよう、ノズル形成面１１Ｒを鉛直上方に移動させた際の軌跡を含む領域以外の領域に配置されている。したがって、インク注入時に液体注入口３２からインクが垂れた場合でも当該インクは比較的、ノズル形成面１１Ｒには到達しにくく、液体注入口３２の下方にあるノズル形成面１１Ｒにインクが付着するのが抑制される。
【００３１】
キャップ６０は、液体噴射ヘッド１０の乾燥によるノズル１１の詰まり等を抑止する部材である。本実施形態のキャップ６０は、キャリッジ３０が所定位置にある場合に液体噴射ヘッド１０と接触する位置に配置されている。なお、本明細書では、液体噴射ヘッド１０とキャップ６０とが対向した状態となるキャリッジ３０の初期位置をホームポジションＨＰという（図６参照）。キャップ６０は、ホームポジションＨＰにあるキャリッジ３０の液体噴射ヘッド１０に対し、ノズル１１が開口した閉空間を形成する。
【００３２】
上記のごときキャップ６０に対し、本実施形態の液体注入口３２は、キャリッジ３０が移動経路Ｔ３０上のどの位置にあっても、上方からの平面視で当該キャップ６０と重ならない位置に配置されている（図６参照）。したがって、インク注入時等に液体注入口３２からインクが垂れたとしてもキャップ６０にまでは到達しにくい。このため、本実施形態の液体噴射装置１によれば、キャップ６０の汚れに起因する液体噴射ヘッド１０の汚れを抑制することができる。
【００３３】
また、液体注入口３２は、キャリッジ３０の移動方向（Ｘ方向）におけるインクタンク２０の一端側、例えばキャリッジ３０の中心よりも−Ｘ側に設けられている（図６参照）。ユーザーが補充容器１４を片手で支えながらインク補充する場合、このような態様であれば、視認部（第１視認部１６や第２視認部１７）からインクタンク２０内のインクの液面Ｌを確認しながらインク補充するという作業がしやすく、誤って液体注入口３２からインクを溢れさせる事態を抑制できる。
【００３４】
払拭部材８０は、液体噴射ヘッド１０が接触する位置に配置され、当該液体噴射ヘッド１０を払拭する部材である（図６参照）。この払拭部材８０に対し、液体注入口３２を、キャリッジ３０が移動経路Ｔ３０上のどの位置にあっても、上方からの平面視で当該払拭部材８０と重ならない位置に配置していることが好適であり、例えば本実施形態では、液体注入口３２を、キャリッジ３０が移動経路Ｔ３０上のいずれの位置にあっても払拭部材８０よりも手前（＋Ｙ方向）となる位置に配置している（図６参照）。したがって、インク注入時に液体注入口３２からインクが垂れたとしても払拭部材８０にまでは到達しにくい。このため、本実施形態の液体噴射装置１によれば、払拭部材８０の汚れに起因する液体噴射ヘッド１０の汚れを抑制することができる。
【００３５】
蓋部材３３は、液体注入口３２を開閉する部材である。本実施形態の蓋部材３３は、キャリッジ３０の上面のヒンジ部３３ａにおいてピン結合され、Ｘ方向に平行な軸を中心に開閉動作する。この蓋部材３３は、視認部（第１視認部１６、第２視認部１７）から離れる方向に移動することで液体注入口３２を開放するので、インク注入の際、インクタンク２０内のインクの液面Ｌを視認することの差し支えとなることはない。なお、蓋部材３３はその一部が弾性部材で構成されていても良いし、その全てが弾性部材で構成されていても良い。
【００３６】
本実施形態の液体噴射装置１においては、キャリッジ３０の液体注入可能位置ＬＦＰと、ホームポジションＨＰとをずらして互いを異なる位置に設定している。一般に、液体噴射ヘッド１０とキャップ６０とが対向した状態でキャップ６０に下向きの押圧力が作用するとその影響でノズル１１内へのインク、気泡の逆流やキャップ破損が生じるおそれがあるが、本実施形態ではこのように液体注入可能位置ＬＦＰをホームポジションＨＰからずらしておくことで、インク注入の際（図４参照）、ユーザーが補充容器１４を下方へ押し込む等して押圧力が作用したとしても、その影響によるインク、気泡の逆流やキャップ破損が生じないようにしている。
【００３７】
プリンター１００の筐体２の一部は、所定位置における蓋部材３３の開閉を規制する規制部２３として機能するように構成されている（図７〜図１０）。本実施形態の場合、規制部２３は、キャリッジ３０がホームポジション（液体噴射ヘッド１０とキャップ６０とが対向する位置）ＨＰに位置するときは蓋部材３３の開動作を妨げ（図７、図８参照）、かつ、キャリッジ３０が液体注入可能位置ＬＦＰにあるときは蓋部材３３の開動作を妨げない（図９、図１０参照）。かかる規制部２３によれば、ホームポジションＨＰ等で不用意に液体注入口３２が開放されて液体がこぼれるといった事態が生じることを抑制できる。
【００３８】
プリンター１００には、液体注入口３２が開放された状態における所定の保持位置にて蓋部材３３を保持する保持部３８が設けられている。詳しい図示はしていないが、保持部３８は、例えば蓋部材３３の一部が係止する位置にある筐体２の縁部などで構成される（図９参照）。保持位置にある蓋部材３３は、当該蓋部材３３を伝ってインクが垂れた場合でも液体噴射ヘッド１０（のノズル形成面１１Ｒ）にインクが到達しにくいように、上方からの平面視でノズル形成面１１Ｒと重ならないように離れた位置に構成されている（図６参照）。
【００３９】
ここまで説明したように、本実施形態の液体噴射装置１によれば、液体注入時に液体注入口３２からインクが垂れた場合にも、ノズル形成面１１Ｒにまでインクが到達しにくい構成であるため、印字の不具合といった信頼性の低下が生じるのを抑制することができる。
【００４０】
なお、以上説明した実施形態は、本発明の理解を容易にするためのものであり、本発明を限定して解釈するためのものではない。実施形態が備える各要素並びにその配置、材料、条件、形状およびサイズ等は、例示したものに限定されるわけではなく適宜変更することができる。また、異なる実施形態で示した構成同士を部分的に置換し又は組み合わせることが可能である。
【００４１】
［第２実施形態］
上記の実施形態で説明した視認部（第１視認部１６、第２視認部１７）やインクタンク２０の残量確認部１３ａにインクの液面Ｌの量を把握しやすくする目盛りを設けてもよい。これによれば、誤って液体注入口３２からインクを溢れさせることを抑制できる。例えば、残量確認部１３ａに液量の高位レベルと低位レベルを示す線状の目盛り９１が設けられている場合（図８、図１０参照）。これに代え、あるいはこれに加えて、第１視認部１６に、各レベルの高さに合わせた三角形状、楔形状、矢印形状等の目盛り９２を設けることができる（図１１参照）。また、線状の目盛り９１に、長さの異なる別の目盛り９３を増やして残量をより正確に把握できる（図１２参照）。また、キャリッジ３０の第１視認部１６に形成した梁の部分３０Ｂで残量確認部１３ａを二分した構造とし、残量確認部１３ａを横切るように延びる該梁の部分３０Ｂで液量の約半分程度がわかるように構成することもできる（図１３参照）。
【００４２】
［第３実施形態］
蓋部材３３を保持位置に仮固定できる構成としても良い。こうした場合、インク注入時に蓋部材３３が元の位置に戻ろうとして邪魔になることを抑制できる。また、インク注入時に誤ってインクが垂れる事を抑制できる。
【００４３】
［第４実施形態］
キャリッジ３０を、複数色分のインクタンク（液体収容部材）２０を搭載できる構成としても良い。この場合、それぞれの液体注入口３２は、上方からの平面視で液体噴射ヘッド１０と重ならないのが好ましい。更に、それぞれの液体注入口３２は、キャリッジ３０が移動経路Ｔ３０上にある時に、上方からの平面視でキャップ６０、払拭部材８０と重ならないのが望ましい。
【００４４】
［第５実施形態］
キャリッジ３０、液体噴射ヘッド１０、インクタンク（液体収容部材）２０、キャップ６０を収容する筐体を備えるプリンター１００において、キャリッジ３０がホームポジション（液体噴射ヘッド１０とキャップ６０とが対向する位置）ＨＰにあるとき、または、液体注入可能位置ＬＦＰにあるときに、キャリッジ３０の第１視認部１６が見えるように第２視認部１７を設けても良い。こうした場合、必要な時に液面を見ることができる為、補充時を判断しやすい。
【００４５】
［第６実施形態］
インクタンク（液体収容部材）２０の上面と前面とが交差する交差部に液体注入口３２を配置しても良い（図１４参照）。こうした場合、液体注入口３２からインクが垂れてしまった場合に前面を伝い落ちるインクを、視認部（第１視認部１６や第２視認部１７）を介して目視できる。これにより、インク垂れを早期に認識できるとともに対処できる。
【００４６】
［第７実施形態］
媒体（例えばプリント用の用紙）を搬送する媒体搬送装置（図示省略）の上方に、移動するキャリッジ３０から落下した液体を受け止める受け部材（図示省略）を設けてもよい。この場合、キャリッジ３０内に垂れたインクを外部に排出するための液体排出口を、キャリッジ３０が移動経路Ｔ３０上にある時に受け部材の鉛直上方となる位置に配置してもよい。こうした場合には、キャリッジ３０に設けられた液体排出口からインクが垂れた際、媒体に直接インクが落下するのを抑制することが出来る。
【産業上の利用可能性】
【００４７】
本発明は、媒体に記録を行う記録手段を備える記録装置の液体噴射装置に適用して好適である。
【００４８】
液体噴射ヘッド１０が噴射する液体はインクに限らず、例えば機能材料の粒子が液体に分散又は混合されてなる液状体などであってもよい。例えば、液体噴射ヘッド１０は、液晶ディスプレイ、ＥＬ（エレクトロルミネッセンス）ディスプレイまたは面発光ディスプレイの製造などに用いられる電極材または色材（画素材料）などの材料が分散または溶解した液状体を噴射する構成にしてもよい。
【符号の説明】
【００４９】
１…液体噴射装置、１０…液体噴射ヘッド、１１…ノズル、１１Ｒ…ノズル形成面、１６…第１視認部、１７…第２視認部、２０…インクタンク（液体収容部材）、２３…ケース（規制部）、３０…キャリッジ、３２…液体注入口、３３…蓋部材、３８…保持部、６０…キャップ、７０…搬送部材、８０…払拭部材、１００…プリンター（記録装置）、
ＨＰ…（キャリッジの）ホームポジション、ＬＦＰ…（キャリッジの）液体注入可能位置、Ｔ３０…キャリッジの移動経路、Ｔ３２…液体注入口の移動軌跡
【図１】
2019069550.tif 000003
【図２】
2019069550.tif 000004
【図３】
2019069550.tif 000005
【図４】
2019069550.tif 000006
【図５】
2019069550.tif 000007
【図６】
2019069550.tif 000008
【図７】
2019069550.tif 000009
【図８】
2019069550.tif 000010
【図９】
2019069550.tif 000011
【図１０】
2019069550.tif 000012
【図１１】
2019069550.tif 000013
【図１２】
2019069550.tif 000014
【図１３】
2019069550.tif 000015
【図１４】
2019069550.tif 000016